(57)【要約】      （修正有）【課題】操作者の手動操作で成形品のキャップなどを、容易に且つ切断面がきれいに切断することができる安価な切断装置を提供する。【解決手段】切断対象物を保持する保持手段３と、所定の一方向に沿って延びる円形の切断刃５であって、切断対象物に対し接離するように、一方向に沿って、移動可能かつ回動不能に設けられた切断刃５と、操作者の手動操作によって、切断刃５を一方向に沿って移動させる移動手段４とを含む切断装置Ａである。【選択図】図１
2019042892.tif 000002
【特許請求の範囲】
【請求項１】
切断対象物を保持する保持手段と、所定の一方向に沿って延びる円形の切断刃であって、前記切断対象物に対し接離するように、前記一方向に沿って、移動可能に設けられた切断刃と、操作者の手動操作によって、前記切断刃を前記一方向に沿って移動させる移動手段とを含む、切断装置。
【請求項２】
前記切断刃を回動不能に保持し、前記移動手段によって移動させられるホルダをさらに含む、請求項１に記載の切断装置。
【請求項３】
前記ホルダに取り付けられ、前記切断刃の側面を吸着保持する吸着手段をさらに含む、請求項２に記載の切断装置。
【請求項４】
前記ホルダは、前記移動手段によって移動させられるホルダ本体と、ホルダ本体に取り付けられ、前記切断刃の端面を支持する支持部とを含む、請求項２に記載または請求項３に記載の切断装置。
【請求項５】
前記切断刃の端面に係合して、当該切断刃の回動方向の位置決めを行う位置決め用凹部をさらに含む、請求項２乃至請求項４に記載の切断装置。
【請求項６】
前記切断刃が、所定の回動軸線まわりに回動可能に設けられており、前記切断刃の前記一方向に沿う移動に連動して前記切断刃を回動させる回動機構をさらに含む、請求項１に記載の切断装置。
【請求項７】
前記切断刃に一体移動可能に設けられて、前記切断刃の周囲を包囲する第１のカバーをさらに含む、請求項１乃至請求項６に記載の切断装置。
【請求項８】
前記切断刃と前記保持手段との間に配置され、前記切断刃の通過を許容しながら、前記保持手段の前記切断刃側の面を覆う第２のカバーをさらに含む、請求項１乃至請求項６に記載の切断装置。
【発明の詳細な説明】
【技術分野】
【０００１】
本発明は、切断装置に関するものである。
【背景技術】
【０００２】
柔らかいプラスチックやゴムの試料を切断する装置として、特許文献１に記載の一方が移動自在な一対のチェックを設け、該一対のチャックに把持させた試料片に直交して離間する位置に剃刀装着用の刃物ホルダーを配置し、該刃物ホルダーを前記剃刀の刃先角度を調整可能に回動可動にすると共に、前記試料片に向けて移動可能に構成した試料切断装置が提案されている。また、軟質部材を切断する装置として、特許文献２の切断刃の刃先の長手方向が、当該切断刃の移動方向と直交する面に対して所定角度で傾斜しており、ステージの載置面が上記傾斜した刃先と略平行に設定されている切断装置が提案されている。この様に、柔らかいプラスチックやゴムなどの軟質部材を切断する装置としてはすでに提案されている。
【０００３】
一方、プラスチックやアルミで成形したキャップなどの成形品は、定期的に製品の抜き取りを行い、製品の断面形状を測定し、寸法形状に誤差が発生していないかなどの、品質管理を実施している。そのため、少量抜き取った製品を、都度切断する必要があり、現状ではカッターナイフなどを使用して操作者が手作業で切断を行っている。
【先行技術文献】
【特許文献】
【０００４】
【特許文献１】特開平４−７０４９５号公報
【特許文献２】特開２０１６−１６４６０号公報
【発明の概要】
【発明が解決しようとする課題】
【０００５】
特許文献１は、ゴムやプラスチックなどの柔らかい素材でできた板状の試料片を切断し、顕微鏡観察用として試料片の観測面を平滑に形成するように切断できる試料切断装置であるが、切断するものを伸長変形させた状態で切断することで、切断面が平滑されるものであり、成形されたキャップの成形品を切断する物ではない。また、特許文献１の試料切断装置は、切断対象物を刃物で押切る構造である。特許文献１の試料切断装置を使用して成形品を刃物で押切って切断する場合に、切断面は大きくわけて４層構造となる。最初に刃物で板材が押されることで板材が圧縮されて滑らかなＲ形状のダレが発生する。次に刃物の先で押されることで板材の切断が開始し、切断途中から板材が割れだし、最後の押しきりで板材の下面付近でバリが発生する。このように、押し切りだけでは、成形品を平滑に切断することができない。
【０００６】
また、特許文献２も特許文献１と同様に柔らかい素材を切断する装置であり、具体的には、電線の導体を覆うポリエチレン製の絶縁被覆体や、車両の窓開口部に沿って取り付けられるゴム製のウエザーストリップ等を切断するための切断装置である。前記切断装置の構造としては、市販のカッターやカミソリの刃などの直線刃を使用するもので、前記直線刃の刃先が長手方向に対して斜めになるように取り付けられている切断装置である。これにより、直線刃が斜めに傾斜した状態のままで真下に刃が下りるので、切断対象物には、刃の押切り効果の他に傾斜による引き切り効果が作用していると説明されている。しかしながら、直線刃を斜めに設置して真下に刃を下ろす構造だけでは、引き切り効果が弱く、プラスチックやアルミなどで成形された高さ方向がある成形品は、切断途中から刃が曲がったりしてうまく切断することはできない。
【０００７】
更に、今までのやり方のカッターナイフなどを使用して操作者が手作業で、引き切り作用を有しながら切断を行っていく場合に、切断対象物の成形品が固すぎたり、肉厚であったりした場合に、うまく切断することができず、切断面がガタガタになったり、切断途中で割れたり、また、操作者の安全性にも問題があった。そのため、切断が容易で、且つ切断面がきれいに切断できて、値段も安くて、構造的にも簡単で安全に成形品が切断できる切断装置の要望があるものの、成形品を専用に切断できる切断装置は、開発、販売されていない。操作者の手動操作で成形品を安全に容易にかつ、切断面がきれいに切断することができる成形品の切断ができる安価な切断装置の開発が急務である。
【０００８】
本発明の目的は、以上のような課題を解決するため、操作者の手動操作で成形品のキャップなどを、容易に且つ切断面がきれいに切断することができる安価な切断装置を提供することである。
【課題を解決するための手段】
【０００９】
請求項１に記載の発明は、切断対象物を保持する保持手段と、所定の一方向に沿って延びる円形の切断刃であって、前記切断対象物に対し接離するように、前記一方向に沿って、移動可能に設けられた切断刃と、操作者の手動操作によって、前記切断刃を前記一方向に沿って移動させる移動手段とを含む、切断装置である。
【００１０】
請求項２に記載の発明は、前記切断刃を回動不能に保持し、前記移動手段によって移動させられるホルダをさらに含む、切断装置である。
【００１１】
請求項３に記載の発明は、前記ホルダに取り付けられ、前記切断刃の側面を吸着保持する吸着手段をさらに含む、切断装置である。
【００１２】
請求項４に記載の発明は、前記ホルダは、前記移動手段によって移動させられるホルダ本体と、ホルダ本体に取り付けられ、前記切断刃の端面を支持する支持部とを含む、切断装置である。
【００１３】
請求項５記載の発明は、前記切断刃の端面に係合して、当該切断刃の回動方向の位置決めを行う位置決め用凹部をさらに含む、切断装置である。
【００１４】
請求項６記載の発明は、前記切断刃が、所定の回動軸線まわりに回動可能に設けられており、前記切断刃の前記一方向に沿う移動に連動して前記切断刃を回動させる回動機構をさらに含む、切断装置である。
【００１５】
請求項７記載の発明は、前記切断刃に一体移動可能に設けられて、前記切断刃の周囲を包囲する第１のカバーをさらに含む、切断装置である。
【００１６】
請求項８記載の発明は、前記切断刃と前記保持手段との間に配置され、前記切断刃の通過を許容しながら、前記保持手段の前記切断刃側の面を覆う第２のカバーをさらに含む、切断装置である。
【発明の効果】
【００１７】
操作者の手動操作で成形品を、容易に且つ切断面が綺麗に切断できる安価な切断装置を提供することである。
【図面の簡単な説明】
【００１８】
【図１】本発明の切断装置の斜視図である。
【図２】図１に示す切断装置を斜め上から見た斜視図である。
【図３】図１に示す切断装置の正面図である。
【図４】図１に示す切断装置の側面図である。
【図５】図４の切断刃とレール溝が当接している状態を示した断面のイメージ図である。
【図６】図３の切断刃と第６レール板の当接状態を正面からみたイメージ図である。
【図７】図１のホルダに吸着手段である磁石を嵌め込む位置を示したイメージ図である。
【図８】本発明の切断装置の異なる実施形態２の斜視図である。
【図９】図９の切断装置を斜め上から見た斜視図である。
【図１０】図８の切断装置の正面図である。
【図１１】図１０の切断装置の手動レバーを動かし、切断刃が切断対象物を切断する途中を示した正面図である。
【図１２】図８の切断装置の側面図である。
【図１３】図１２の切断装置の手動レバーを動かし、切断刃が切断対象物を切断した状態を示した側面図である。
【図１４】図１２の切断刃の回動する動作を示した側面図である。
【図１５】図１２のＸ部から図１３のＹ部のストッパーキャップ周辺の操作動作を示した拡大図である。
【発明を実施するための形態】
【００１９】
本発明の切断装置Ａの実施形態１を説明する。図１乃至図４に示すように、本発明の切断装置Ａは、土台１の上に垂直に直立した支柱２を有し、土台１には、切断対象物Ｂを保持する保持手段３を備えている。また、本発明の切断装置Ａは、操作者が手動操作をすることにより、一方向に沿って移動する移動手段４が備えられており、移動手段４へ切断刃５を取り付けたものを基本構造としている。移動手段４としては手動プレス機の構造を利用すると良いが、本発明の切断装置Ａは手動プレス機の構造に限定されるものではない。これより、本発明の切断装置Ａについて、手動プレス機の構造を基本構造として利用した場合を例とし説明していく。土台１の上には、保持手段３を構成するために、第１レール板３ａが設置されており、第１レール板３ａの上面には、図１に示すように、本発明の切断装置Ａを正面からみて水平方向となる位置に複数のレール溝３ｂが形成されている。また、図３に示すように、第１レール板３ａには、切断対象物Ｂの側壁面を保持できるように、切断対象物Ｂの外壁形状にカタチどられた専用の治具３ｃを取り付けすることができる。更に、切断対象物Ｂの側壁面の一部を挟み込んで保持するための磁石などを保持手段３として利用することもできる。そのため、保持手段３は、磁石がくっつきやすい金属などの素材にすると良い。  
【００２０】
更に治具３ｃは、ボルトやナットなどの部材を使用して、第１レール板３ａのレール溝３ｂへ簡単にネジ止めすることができる。また、ネジをゆるめることで、第１レール板３ａのレール溝３ｂに沿って治具３ｃを簡単に、移動させて位置調整することができる。その為、異なる形状の切断対象物Ｂを切断する場合は、切断対象物Ｂの外形状のサイズに合うように、複数の部材で構成された治具３ｃを、個々に前後左右に移動させて調整することができたり、また、切断対象物Ｂの外形状にカタチどられた専用の治具３ｃを準備することで簡単に付け替えすることできる。尚、レール溝３ｂについては、一直線の溝に限定されるものではなく、例えば、途中でレール溝３ｂが途切れていたり、レール溝３ｂが丸型や四角型などにくり抜かれた複数の穴が連続して配置している状態であってもよい。
【００２１】
次に、移動手段４の構造について説明する。図４に示すように、操作者が手動操作で動かすために、移動手段４であるラム４ｃには複数のネジ溝４ｂが形成されている。また、ラム４ｃは支柱２と連結部８で連結されており、手動レバー４ａを動かすと手動レバー４ａの動作と連動した歯車構造を有するピニオンギヤがネジ溝４ｂと噛み合い、昇降動作が作動するようになっている。尚、本発明の切断装置Ａの移動手段４は、手動プレス機で用いられているラック・アンド・ピニオン式で説明を行っているが、ラック・アンド・ピニオン式に限定されるものではない。また、移動手段４については、前後または、左右に動作する構造の装置であっても良い。
【００２２】
図１乃至図４に示すように、ラム４ｃの下端側には第２レール板４ｄが取り付けられており、第２レール板４ｄは第１レール板３ａの上面と水平となるように取り付けられている。また、第２レール板４ｄの下面側には、本発明の切断装置Ａを正面からみて水平方向となる位置に複数のレール溝４ｅが形成されている。
【００２３】
図５は切断刃５とレール溝４ｅが当接している状態を示した断面のイメージ図である。また図６は、切断刃５と第２レール板４ｄの当接状態を正面からみたイメージ図である。図５及び図６に示すように、前記切断刃５の端面に係合して、切断刃５の回動方向の位置決めを行う位置決め用凹部４ｆの役目をレール溝４ｅは有している。具体的には、切断刃５の上端側がレール溝４ｅと直交しながら当接することで切断刃５の位置決めができるようになるので、適正な位置で保持することができる。また、切断動作を繰り返すうちに使用劣化により切断刃５の一部が欠けたり、切断対象物Ｂの切れ味が悪くなった際は、切断刃５を回動方向に移動させて付け直すことができ、切断刃５の交換時期を遅らせることができるので経済的である。
【００２４】
また、図５乃至図７に示すように、切断刃５の側面をホルダ本体６ａと支持部６ｂの２枚のプレートで挟み、ホルダ本体６ａと支持部６ｂの接する側面側を開通させた第１取付部６ｃに、ボルトやナットなどを使用してネジ止めすることで切断刃５がホルダ６によって保持できるようになる。このように、切断刃５の左右２ヶ所をホルダ６で回動不能に保持することで、切断刃５が動かないように固定することができる。また、異なる厚みの切断刃５も、取り付けすることができる。
【００２５】
これにより図２及び図４に示すように、切断刃５を左右のホルダ６で挟み込んで取り付けているため、切断刃５の側面の縦方向中心付近には、切断時に邪魔になるものがなく、縦長の切断対象物Ｂを縦方向に切断することが可能となる。よって、縦長の切断対象物Ｂを縦方向に切断する場合にも、有効に活用できる切断装置Ａである。
【００２６】
更に、直径サイズの異なる切断刃５を付け替えする場合に、第２取付部６ｄの穴をホルダ本体６ａの上面側に複数個、形成しておくことで、レール溝４ｅと第２取付部６ｄの穴の設置位置を移動させることで、大きさが異なる様々なサイズの切断刃５へ容易に付け替えることができる。
【００２７】
図７はホルダ本体６ａへ吸着手段７である磁石を嵌め込む位置を示したイメージ図である。切れ味が悪くなった箇所の切断刃５を、回動方向に移動させて付け直す時に、第２取付部６ｄにボルトやナットなどでネジ止めされているネジを緩める必要がある。その際、切断刃５が誤って落下してしまう危険があるため、ホルダ６のネジを緩めても切断刃５が落下しないように、図５及び図７に示すように、ホルダ本体６ａに取り付けられ、切断刃５の側面を吸着保持するための磁石などの吸着手段７を有している。具体的には、切断刃５とホルダ本体６ａとが当接する面のホルダ本体６ａ側の一部に、吸着物設置部６ｅを形成して、切断刃５の落下を防止するための磁石などの吸着物を、吸着設置部６ｅへ嵌め込んでいる。尚、図５では、磁石１６を左右２ヶ所のホルダ６の両方に嵌め込んでいるがどちらか片方だけであっても良い。
【００２８】
本発明の切断装置Ａは、引き切り効果を加えるために切断刃５は丸刃を装着している。尚、引き切り効果が加われば良いため、本発明の切断装置Ａには丸刃以外に、図示はしていないが、刃先の先端がＶの字を形成した五角形刃や六角形刃などの多角形を有する切断刃を取り付けることも可能である。
【００２９】
次に、本発明の異なる実施形態２について説明を行う。図８乃至図１３に示すように、本発明の切断装置Ａ１は、土台１の上に垂直に直立した支柱２を形成し昇降体３と昇降手段４を備えた手動プレス機に、昇降体３の中心位置付近へ切断対象物Ｂを切断するための丸形状の切断刃５を取り付けた手動式の切断装置Ａ１を基本構造としている点は、先に説明した図１乃至図４の切断装置Ａと同じである。また土台１の上には、第１レール板３ａが設置されており、図９に示すように、第１レール板３ａの上面には、手動プレス機を正面からみて水平方向に複数のレール溝３ｂが形成されている。更に第１レール板３ａには、切断対象物Ｂを固定するための治具３ｃが設置できるようになっている。
【００３０】
治具３ｃは、ボルトやナットなどの接続部材を使用して第１レール板３ａへ簡単にネジ止めすることができる。また、ネジをゆるめることで、第１レール板３ａのレール溝３ｂに沿って治具３ｃを簡単に、移動させて位置調整することができる。その為、異なる形状の切断対象物Ｂを切断する場合は、複数に取り付けられた治具３ｃを、切断対象物Ｂのサイズに合わせて、個々に移動させて調整することが出来たり、切断対象物Ｂの形状にカタチどられた専用の治具３ｃを準備することで簡単に付け替えすることできる。尚、レール溝３ｂについては、一直線の溝に限定されるものではなく、例えば、途中でレール溝が切れていたり、丸型や四角型などにくり抜かれた複数の穴が連続して配置している状態であってもよい。
【００３１】
次に、本発明の実施形態２の移動手段４の構造について説明する。図１２及び図１３に示すように、操作者が手動操作で動かすために、移動手段４であるラム４ｃには複数のネジ溝４ｂが形成されている。また、ラム４ｃは支柱２と連結部８で連結されており、手動レバー４ａを動かすと手動レバー４ａと連動する歯車構造を有するピニオンギヤがネジ溝４ｂと噛み合い、図１３に示すように、昇降動作が作動するようになっている。尚、本発明の切断装置Ａ１の移動手段４は、手動プレス機で用いられているラック・アンド・ピニオン式で説明を行っているが、ラック・アンド・ピニオン式に限定されるものではない。また、移動手段４については、前後または、左右に動作する構造の装置であっても良い。
【００３２】
図８乃至図１１に示すように、ラム４ｃの下端側には、第１レール板３ａの上面と水平となる位置に第２レール板４ｄが取り付けられている。また、第２レール板４ｄの下面側には、本発明の切断装置Ａ１を正面からみて水平方向となる位置に複数のレール溝４ｅが形成されている。また、本発明の実施形態２は、切断刃５が、所定の回動軸線まわりに回動可能になるように、切断刃５の中心に設けられた穴を中心軸として、回動支持部１３ａが切断刃５の中心位置から上端を挟むように設置している。即ち、切断刃５の中心に設けられた穴と回動支持部１３ａの下端付近に形成した穴とをネジ止めすることで、丸刃の切断刃５が回動できるようになっている。また、第２レール板４ｄの下面側に取り付けられる回動支持部１３ａは、ボルトやナットなどのネジによってレール溝４ｅに取り付けられているので、レール溝４ｅに沿って移動させることができる。
【００３３】
更に図１２に示すように、切断刃５を回動支持部１３ａへ取り付けした時に、切断刃５の下端付近と、切断刃５の中心穴の位置から上方の支柱２位置との間を、連結棒１３ｂで連結されている。支柱２に連結された連結棒１３ｂは、図１４に示すように、手動レバー４ａを動かし移動手段４を降下させた時に、移動手段４と一緒に切断刃５も降下するため、上方向に引き上げられることになる。そして、切断刃５は、回動軸線まわりに回動可能な動作を加えることができるようになる。
【００３４】
即ち、本発明の切断装置Ａ１では、手動レバー４ａを動かして切断刃５を降下させていくと、連結棒１３ｂによって上方向に引き上げられた切断刃５は、手動レバー４ａと同じ回動方向に連動して切断刃５も回動する回動機構１３を有することになる。これにより、切断対象物Ｂを切断する際は、押し切り作用に加え、切断刃５が回動するので引き切り作用も加えることができる。また、手動レバー４ａと連動して動作するので、引き切りするスピードも一定の速さを保つことができるので、切断対象物Ｂの切断面をより綺麗な状態で切断することができる切断装置Ａ１を提供できる。
【００３５】
図１乃至図４と図８乃至図１３に示すように本発明の切断装置Ａ、Ａ１には、第２レール板４ｄの外周の近い位置に、切断刃５に一体移動可能に設けられて、切断刃５の周囲を包囲する第１のカバー９が取り付けられている。また、前記切断刃５と前記保持手段３との間には、図４及び図１２に示すように、手動レバー４ａが動作する前の状態において、切断刃４の刃先が外へ飛び出ない位置に、第２のカバー１０が取り付けられている。第２のカバー１０は手動レバー４ａを動作させることで、図１３に示すように、第２のカバー１０に設けられた開口部１０ａから切断刃５を通過させることができる。
【００３６】
また、本発明の切断装置Ａ、Ａ１には図１２及び図１３、図１５に示すように、ラム４ｃの円柱上端近傍にラム４ｃの円柱径より大きい径を有する筒状のストッパーキャップ１１を取りつけている。更に、手動レバー４ａの動作前の状態の時に、ストッパーキャップ１１の下端側に当接して引っかかる位置に、安全ストッパー１２のピン１２ｂがくるように設置している。これにより、手動レバー４ａを動かそうとしても、ピン１２ｂがストッパーキャップ１１の下端側に引っかかり、切断刃５の刃先が第２のカバー１０の開口部１０ａから飛び出る心配がないので、安全に使用することができる。
【００３７】
図１２のＸ部並びに図１３のＹ部に示すストッパーキャップ周辺の操作動作を示した拡大図を図１５で示す。図１５に示す通り、安全ストッパー１２のノブ１２ａを手前に引く操作をすることで、ピン１２ｂが内側に引っ込み、ストッパーキャップ１１の側面に乗り上がるようになっている。そのため、安全ストッパー１２は、ピン１２ｂの出し入れ構造をもつインデックスプランジャなどを取り付けると良い。これにより、手動レバー４ａが意図せず動作した場合であっても、ストッパーキャップ１１の下端側にピン１２ｂが引っかかるためロックがかかり、切断刃５の降下を防ぐことができる。
【００３８】
更に、図１５に示すとおり、ストッパーキャップ１１の上端周壁の角面をコーナーＲにして丸めておくことで、手動レバー４ａを回した後、手動レバー４ａを元の位置に戻す時は、ピン１２ｂの先端の球面とストッパーキャップ１１の上端周壁のコーナーＲが接し合いながら、コーナーＲのカーブ面にピン１２ｂの先端が押されることになるので、ピン１２ｂの先端は徐々に引っ込みながらストッパーキャップ１１の側壁面を通過していくため、ノブ１２ａの出し入れ操作をしなくても良い。
【００３９】
また、本発明で使用する切断刃５は、市販の丸刃を購入して取り付けることができ、切断刃５の刃先の断面は、中心線に対してそれぞれ等しい角度を有するものを使用することで、切れる際に切断刃５の刃先が真っ直ぐに切断対象物Ｂへ突き刺さり真っ直ぐ進んでいくようになり切断面が綺麗に切断することができる。また、刃先は鋭利であれば更に切れ味を増すことができる。
【００４０】
本発明の切断装置Ａ、Ａ１は、プラスチックやアルミなどで成形した容器やキャップなどの成形品の品質管理をするために、少量の成形品を定期的に抜き取って断面の寸法形状の測定を行う際に、容易に且つ切断面が綺麗に成形品を切断できる切断装置Ａ、Ａ１として発明したものである。そのため、構造的にも簡単で、低コストで安全性に優れた手動式切断装置Ａ、Ａ１を提供することができる。尚、本発明は成形品の切断用に発案した製品ではあるが、切断対象物Ｂは成形品に限定されるわけではなく、例えば塩化ビニールやポリエチレンなどの樹脂やゴム製パイプや電線など、様々な切断対象物Ｂに対して、切断バリの発生を抑えて、切断面が綺麗な切断装置を提供することができる。
【符号の説明】
【００４１】
１      土台
２      支柱
３      保持手段
３ａ    第１レール板
３ｂ    レール溝
３ｃ    治具
４      移動手段
４ａ    手動レバー
４ｂ    ネジ溝
４ｃ    ラム  
４ｄ    第２レール板
４ｅ    レール溝
４ｆ    位置決め用凹部
５      切断刃
６      ホルダ
６ａ    ホルダ本体
６ｂ    支持部
６ｃ    第１取付部
６ｄ    第２取付部
６ｅ    吸着物設置部
７      吸着手段
８      連結部
９      第１のカバー
１０    第２のカバー
１０ａ  開口部
１１    ストッパーキャップ
１２    安全ストッパー
１２ａ  ノブ
１２ｂ  ピン
１３    回動機構
１３ａ  回動支持部
１３ｂ  連結棒
Ａ      切断装置
Ａ１    切断装置
Ｂ      切断対象物
【図１】
2019042892.tif 000003
【図２】
2019042892.tif 000004
【図３】
2019042892.tif 000005
【図４】
2019042892.tif 000006
【図５】
2019042892.tif 000007
【図６】
2019042892.tif 000008
【図７】
2019042892.tif 000009
【図８】
2019042892.tif 000010
【図９】
2019042892.tif 000011
【図１０】
2019042892.tif 000012
【図１１】
2019042892.tif 000013
【図１２】
2019042892.tif 000014
【図１３】
2019042892.tif 000015
【図１４】
2019042892.tif 000016
【図１５】
2019042892.tif 000017